(57)【特許請求の範囲】
【請求項１】
揮散する薬剤を収容して開口部を開放可能にシール部材で密閉した容器本体と、上記薬剤を揮散させるための複数の揮散孔を有して上記開口部に被せた蓋体と、の間で上記シール部材に重ねて上記蓋体の内側に収納した調整シートであって、
上記シール部材を剥がした状態で上記容器本体の上記開口部の縁にちょうど重なる外周縁と、
上記外周縁から内側に離間した位置で当該調整シートの一部を折り曲げる折り部と、
上記折り部の両端をつないで上記折り部との間で当該調整シートの一部を囲むように設けられ、当該調整シートの上記一部を上記折り部を中心に切り起こすための切込部とを有する調整シート。
【請求項２】
上記折り部および上記切込部は、当該切込部で当該調整シートに切込を入れて当該折り部で当該調整シートの上記一部を切り起こした状態で当該調整シートに設けられる上記折り部と上記切込部で囲まれた調整開口が、上記蓋体の上記複数の揮散孔に少なくとも部分的に重なる位置に設けられている、
請求項１の調整シート。
【請求項３】
上記折り部および上記切込部は、当該調整シートの中心を間に挟んで少なくとも２箇所に設けられている、
請求項２の調整シート。
【請求項４】
上記折り部を中心とした当該調整シートの折り曲げ角度が変更可能である、
請求項２の調整シート。
【請求項５】
揮散する薬剤を収容して開口部を開放可能にシール部材で密閉した容器本体と、
上記薬剤を揮散させるための複数の揮散孔を有して上記開口部に被せた蓋体と、
上記容器本体と上記蓋体の間で上記シール部材に重ねて上記蓋体の内側に収納した調整シートと、を有し、
上記調整シートが、
上記シール部材を剥がした状態で上記容器本体の上記開口部の縁にちょうど重なる外周縁と、
上記外周縁から内側に離間した位置で当該調整シートの一部を折り曲げる折り部と、
上記折り部の両端をつないで上記折り部との間で当該調整シートの一部を囲むように設けられ、当該調整シートの上記一部を上記折り部を中心に切り起こすための切込部とを有する揮散容器。
【請求項６】
上記蓋体は、上記容器本体の上記開口部の周囲に対向する筒状の周壁を有し、この周壁の内面から内側に突出して当該周壁の周方向に延びた複数本の突条部を有し、これら複数本の突条部の上記周壁内面からの突出高さが、当該複数本の突条部を超えて上記調整シートを上記蓋体の内側に収納可能な高さに設定されている、
請求項５の揮散容器。
【発明の詳細な説明】
【技術分野】
【０００１】
本発明は、芳香剤、消臭剤、防虫剤などの薬剤を収容した容器の開口量を調整する調整シート、およびこの調整シートを備えた揮散容器に関する。
【背景技術】
【０００２】
芳香剤や消臭剤や防虫剤（以下、薬剤と称する）は、容器を開封した後、空気中に揮散し始め、時間の経過とともに徐々に減る。薬剤の単位時間当たりの揮散量は、容器の開口面積（開口量）が大きいほど多くなる。このため、容器の開口面積を大きくすると、特に容器を高温下に置いた場合や、容器を空気の通り道に置いた場合、薬剤の単位時間当たりの揮散量が多くなり、短時間で薬剤が無くなってしまう。
【０００３】
このような不具合を防止するため、容器を保持したケースの一部に、容器の開口を覆う揮散量調整板を設けたものが知られている。
【先行技術文献】
【特許文献】
【０００４】
【特許文献１】特開２００１−１９０６５１号公報
【発明の概要】
【発明が解決しようとする課題】
【０００５】
しかし、上述した揮散量調整板は、容器を保持したケースの一部として設けたため、構成が大がかりで、その分、コスト高になってしまう。
【０００６】
本発明は、上記の点に鑑みてなされたもので、安価な構成により容器の開口量を調整できる調整シート、およびこの調整シートを備えた揮散容器を提供することを目的とする。
【課題を解決するための手段】
【０００７】
本発明の調整シートの一態様は、揮散する薬剤を収容して開口部を開放可能にシール部材で密閉した容器本体と、薬剤を揮散させるための複数の揮散孔を有して開口部に被せた蓋体との間でシール部材に重ねて蓋体の内側に収納される。この調整シートは、シール部材を剥がした状態で容器本体の開口部の縁にちょうど重なる外周縁と、外周縁から内側に離間した位置で調整シートの一部を折り曲げる折り部と、折り部の両端をつないで折り部との間で調整シートの一部を囲むように設けられ、調整シートの一部を折り部を中心に切り起こすための切込部とを有する。
【０００８】
また、本発明の揮散容器の一態様は、揮散する薬剤を収容して開口部を開放可能にシール部材で密閉した容器本体と、薬剤を揮散させるための複数の揮散孔を有して開口部に被せた蓋体と、容器本体と蓋体の間でシール部材に重ねて蓋体の内側に収納した調整シートとを有する。調整シートは、シール部材を剥がした状態で容器本体の開口部の縁にちょうど重なる外周縁と、外周縁から内側に離間した位置で調整シートの一部を折り曲げる折り部と、折り部の両端をつないで折り部との間で調整シートの一部を囲むように設けられ、調整シートの一部を折り部を中心に切り起こすための切込部とを有する。
【発明の効果】
【０００９】
本発明の調整シートの一態様によれば、容器本体の開口部を密閉したシール部材の上に重ねて蓋体との間に収容でき、使用時には、切込部で調整シートに切込を入れて折り部で一部を折り曲げ、シール部材を剥がした容器本体の開口部の縁に当該調整シートを載せ、蓋体を開口部に被せればよく、安価な構成により容器の開口量を調整できる。
【００１０】
また、本発明の揮散容器の一態様によれば、容器本体の開口部を密閉したシール部材の上に重ねて蓋体との間に調整シートを収容でき、調整シートの使用時には、切込部で調整シートに切込を入れて折り部で一部を折り曲げ、シール部材を剥がした容器本体の開口部の縁に当該調整シートを載せ、蓋体を容器本体の開口部に被せればよく、安価な構成により容器の開口量を調整できる。
【図面の簡単な説明】
【００１１】
【図１】図１は、実施形態に係る揮散容器を示す外観図である。
【図２】図２は、図１の揮散容器の容器本体を示す部分断面図である。
【図３】図３は、図１の揮散容器の蓋体を容器本体側から見た裏面図である。
【図４】図４は、図３の蓋体の部分断面図である。
【図５】図５は、図１の揮散容器の容器本体と蓋体の間に配置される調整シートを示す外観図である。
【発明を実施するための形態】
【００１２】
以下、本発明の実施形態について図面を参照して説明する。  
図１は、実施形態に係る揮散容器１００の外観図である。揮散容器１００は、芳香剤、消臭剤、防虫剤などの薬剤を収容した有底の略円筒形の容器本体１０と、容器本体１０の開口部１１（図２）に被せる略円筒形の蓋体２０と、を有する。容器本体１０の開口部１１と蓋体２０の間には、後述する調整シート１（図５）が収容配置される。容器本体１０および蓋体２０は、合成樹脂により形成されている。
【００１３】
図２は、容器本体１０の一部を切り欠いた部分断面図である。容器本体１０は、開口部１１を有する略円筒形の首部１２、首部１２の図示下端から連続して外側に略球面状に膨出した胴部１３、および胴部１３の図示下端に連続した略円板状の底部１４を一体に有する。薬剤Ｙは、未使用の状態でその上面が容器本体１０の首部１２にわずかに届かない量で容器本体１０内に収容されている。
【００１４】
首部１２の外周面には、後述する蓋体２０の複数本の突条部２１（図３）を嵌合する円環状の溝部１５が設けられている。言い換えると、溝部１５と首部１２の上端１２ａの間には、蓋体２０の突条部２１と係合する円環状の係合凸部１６が設けられている。係合凸部１６は、首部１２の上端１２ａに向けて縮径した環状の傾斜面１６ａを有する。
【００１５】
首部１２の上端１２ａには、略円形のアルミシール１７（シール部材）が貼設されている。アルミシール１７は、容器本体１０内に所定量の薬剤Ｙを充填した後、首部１２の上端１２ａに貼設され、容器本体１０の開口部１１を密閉する。これにより、薬剤Ｙの揮散を防止している。アルミシール１７は、揮散容器１００の使用開始時に、利用者によって容器本体１０から剥がされる。
【００１６】
図３は、蓋体２０を容器本体１０側から見た裏面図である。また、図４は、蓋体２０の部分断面図である。蓋体２０は、容器本体１０の首部１２の周囲に対向する筒状の周壁２２、この周壁２２の内面２２ａから突出して周方向に延設された環状のフランジ部２３、およびこのフランジ部２３の内周面２３ａをつなぐように設けた複数本のリブ２４を一体に有する。周壁２２の上端は、意匠性を向上させるため、花びらのように湾曲して外側にわずかに広がっている。
【００１７】
複数本のリブ２４は、図３に示すように複雑に湾曲して交差した形状を有し、蓋体２０の美観を向上させている。フランジ部２３および複数本のリブ２４は、略水平面にそって配置されている。言い換えると、蓋体２０は、フランジ部２３の内側で複数本のリブ２４によって区画された複数個の揮散孔２５を有する。フランジ部２３は、蓋体２０を容器本体１０の開口部１１に被せた状態で、その下面２３ｂが容器本体１０の首部１２の上端１２ａに概ね接触する位置に設けられている。
【００１８】
また、図４でフランジ部２３の下方には、周壁２２の内面２２ａから突出した複数本の突条部２１が設けられている。各突条部２１は、周壁２２の周方向に延設されており、蓋体２０を容器本体１０の開口部１１に被せたとき、上述した容器本体１０の首部１２の係合凸部１６を乗り越えて環状の溝部１５に嵌合する。
【００１９】
複数本の突条部２１は、例えば図３に示すように、蓋体２０の中心に対して点対称となる位置にレイアウトされている。本実施形態では、２組の突条部２１を蓋体２０の中心を間に挟んでそれぞれ対向する位置に配置し、合計４本の突条部２１を周方向に等間隔で設けた。突条部２１は、周壁２２の内面２２ａに沿って略等間隔で少なくとも３つ設ければよく、その本数は任意に設定できる。
【００２０】
図５は、調整シート１の外観図である。本実施形態の調整シート１は、コート紙、耐水紙などの種類で、ある程度の腰のある紙により形成されている。しかし、調整シート１の材質はこれに限定されるものではなく、例えば、ポリプロピレン（ＰＰ）などの透明な合成樹脂により形成してもよい。揮散容器１００の出荷時に、調整シート１は、容器本体１０のアルミシール１７の上に重ねて配置され、蓋体２０との間に収容される。
【００２１】
調整シート１の他に、折り畳んだ状態の取扱説明書や両面テープ（図示せず）などを調整シート１に重ねて容器本体１０と蓋体２０の間に収納してもよい。両面テープは、容器本体１０の底部１４に貼設され、自動車の図示しないカップホルダーや図示しない棚や台などに容器本体１０を固定するためのものである。
【００２２】
調整シート１は、容器本体１０の首部１２の上端１２ａの形状と略一致する外形を有する。本実施形態では、調整シート１は、略円形のシートである。調整シート１の直径は、首部１２の上端１２ａに調整シート１の外周縁１ａがちょうど重なる大きさに設計されている。より詳細には、調整シート１の直径は、首部１２の上端１２ａの内径より少なくとも大きく、上端１２ａの外径を大きく超えない範囲に設計されている。
【００２３】
また、調整シート１の直径は、蓋体２０の周壁２２の内面２２ａから突設した複数本の突条部２１を超えて調整シート１を蓋体２０の内側に配置可能な大きさを有する。言い換えると、蓋体２０の周壁２２に設けた複数本の突条部２１の内面２２ａからの突出高さは、複数本の突条部２１を乗り越えて蓋体２０の内側に調整シート１を収容可能な値に設計されている。
【００２４】
調整シート１は、外周縁１ａから内側に離間した位置で当該調整シート１の一部（以下、ベント部４と称する）を折り曲げる折り部２と、折り部２の両端をつないで折り部２との間でベント部４を囲むように設けた略半円形の切込部３と、を有する。本実施形態では、調整シート１は、略半円形の２つのベント部４を有する。２つのベント部４は、それぞれ、切込部３で調整シート１を切り抜いて折り部２で折り曲げることで切り起こすことができる。或いは、切込部３は、初めから調整シート１に切込をいれたものであってもよい。ベント部４を切り起こすことで、調整シート１には調整開口５が開けられる。そして、各ベント部４の折り部２を中心とした折り曲げ角度を変えることで、調整開口５の開度（開口量）を調整することができる。
【００２５】
２つのベント部４は、調整シート１の中心Ｃを間に挟んで点対称となる位置に設けられている。本実施形態では、２つの折り部２が調整シート１の中心Ｃを間に挟んで平行に対向し、各折り部２の両端からそれぞれの切込部３が外周縁１ａの方向に突出して設けられている。例えば、これら２つのベント部４を調整シート１の同じ面側に略直角に切り起こすと、２つのベント部４が互いに平行に対向する。
【００２６】
以下、調整シート１の取り扱い方法について説明する。  
揮散容器１００の出荷時には、調整シート１は、容器本体１０のアルミシール１７と蓋体２０のフランジ部２３および複数本のリブ２４により挟まれた状態で、容器本体１０と蓋体２０との間に収納配置されている。調整シート１とともに取扱説明書や両面テープなども重ねて一緒に収納される場合もある。
【００２７】
調整シート１を収納する際には、蓋体２０を裏返して台などに載せ、調整シート１を蓋体２０の内側に収納する。このとき、蓋体２０の複数本の突条部２１を超えて調整シート１が挿入されフランジ部２３および複数本のリブ２４の上に載置される。取扱説明書や両面テープを一緒に収納する場合には、調整シート１に重ねて収納する。
【００２８】
そして、この状態で、容器本体１０を逆さまにして（アルミシール１７を下にして）首部１２を蓋体２０の内側に押し込む。これにより、蓋体２０の複数本の突条部２１が容器本体１０の首部１２にある環状の係合凸部１６を乗り越えて環状の溝部１５に嵌合する。この状態で、調整シート１の周縁部は、蓋体２０のフランジ部２３と容器本体１０の首部１２の上端１２ａによって挟持される。容器本体１０の開口部１１がアルミシール１７で密閉されているため、薬剤Ｙが流出することなく容器本体１０を逆さにして蓋体２０に嵌め込むことができる。
【００２９】
或いは、調整シート１を内側に収納した状態の蓋体２０を１８０°反転させて、台などに載置した容器本体１０の首部１２に嵌め込んでもよい。この場合、調整シート１の外径を、その外周縁１ａが複数本の突条部２１にわずかに引っ掛かる大きさに設計しておくことで、調整シート１が蓋体２０から脱落することを防止でき、作業性を高めることができる。
【００３０】
一方、上述した揮散容器１００を使用する場合、使用者は、まず、蓋体２０を容器本体１０の首部１２から取り外し、容器本体１０を台などの上に置き、アルミシール１７を首部１２の上端１２ａから剥がし取る。このとき、使用者は、調整シート１（取扱説明書、両面テープ）を取り出しておく。アルミシール１７を剥がした直後から、容器本体１０内に充填した薬剤Ｙの揮散が開始される。
【００３１】
そして、使用者は、開口部１１が開放した状態の容器本体１０の首部１２の上端１２ａの上に調整シート１を載せる。このとき、使用者は、調整シート１のベント部４を予め切り起こして開度を調整して調整開口５を開けておく。調整開口５の開度は、ベント部４を切り起こす際の折り部２の折り曲げ角度を調整することで調整できる。また、２つのベント部４の開度を異ならせたり、一方だけを切り起こしたりすることで、調整開口５の開口量をよりダイナミックに調整できる。
【００３２】
なお、調整シート１を首部１２の上端１２ａに載せる場合、切り起こしたベント部４が容器本体１０の首部１２の内側に配置される向き（ベント部４が下を向く向き）にする。このように、ベント部４を首部１２の内側に挿入することで、調整シート１が首部１２の上端１２ａに対してずれて載置された場合であっても、開口部１１の縁にベント部４が引っ掛かり、調整シート１が首部１２の上端１２ａから脱落し難くなる。これにより、調整シート１を上端１２ａに載せ易くなる。
【００３３】
この後、使用者は、蓋体２０を容器本体１０の開口部１１に被せる。このとき、首部１２の上端１２ａに載った調整シート１の外周縁が首部１２の上端１２ａから外側にはみ出している場合、このまま蓋体２０を被せると調整シート１が挟まってしまう可能性がある。このような場合、調整シート１の外周縁が破損してしまう可能性がある。このため、使用者は、蓋体２０の周壁２２の内側に調整シート１の外周縁を入れてから、蓋体２０を容器本体１０の首部１２と同心に配置されるように横にずらし、この状態から、蓋体２０を下方に押して蓋体２０の内側に首部１２を押し込む。
【００３４】
このとき、蓋体２０の周壁２２の内面２２ａに設けた複数本の突条部２１のうちの１つに調整シート１の外周縁の一部が接触し、調整シート１の外周縁が当該突条部２１を乗り越える。上述したように、蓋体２０を横にずらして押し込む場合、蓋体２０の周壁２２の内面２２ａの一部に調整シート１の外周縁が片側だけ接触した状態となる。このため、調整シート１が接触した内面２２ａにある突条部２１に調整シート１が接触する。このように、調整シート１の一部が突条部２１に接触して乗り越えることで、調整シート１が横にずれ（中央に寄せられ）、調整シート１の中心が首部１２の中心と同軸にセンタリングされることになる。
【００３５】
上記のように、調整シート１を容器本体１０と蓋体２０の間に取り付けることで、開度を調整された少なくとも１つの調整開口５が蓋体２０の複数の揮散孔２５に少なくとも部分的に重なり、容器本体１０内に収容した薬剤Ｙの揮散が可能となる。言い換えると、調整開口５を形成するための折り部２および切込部３は、調整開口５が少なくとも部分的に複数の揮散孔２５と重なる位置に設けられている。
【００３６】
以上のように、本実施形態によると、容器本体１０と蓋体２０の間に調整シート１を設けるだけで、安価な構成により薬剤Ｙの単位時間当たりの揮散量を調整できる。このため、例えば、比較的高温になる車内に揮散容器１００を置く場合やエアコンの通気口の近くに揮散容器１００を置く場合であっても、薬剤Ｙの揮散速度を遅くすることができ、揮散容器１００の使用期間をある程度コントロールすることができる。
【００３７】
また、本実施形態によると、調整シート１の外周縁１ａから離間した位置に折り部２や切込部３を設けたため、ベント部４が容器本体１０の首部１２に干渉することがなく、調整開口５の開度が不用意に変化することがない。また、調整シート１が首部１２の上端１２ａからずれた場合、ベント部４が首部１２の上端１２ａに引っ掛かることにより調整シート１の脱落を防止でき、作業性を向上させることができる。
【００３８】
また、本実施形態によると、調整シート１をコート紙や耐水紙によって形成したため、揮散した薬剤Ｙが調整シート１に吸着し難く、調整シート１が薬剤Ｙによって変質することがない。
【００３９】
また、本実施形態によると、調整シート１に折り部２および切込部３を設けてベント部４を切り起こす構造を採用したため、調整シート１の製造時に切りカスが出ることがなく、調整シート１の加工費用を抑えることができる。また、出荷時には、調整シート１のベント部４を切り起こさない平らな状態であるため、容器本体１０のアルミシール１７に重ねることができ、構成をコンパクトにでき、揮散容器１００の製造コストを安価にできる。さらに、使用時には、ベント部４を切り起こす角度を調整することで、調整開口５の開度を調整できる。
【００４０】
以上、実施形態に基づいて本発明を説明したが、本発明は、上述した実施形態に限定されるものではなく、本発明の要旨の範囲内で種々の変形や応用が可能なことは勿論である。
【００４１】
例えば、上述した実施形態では、調整シート１をコート紙、耐水紙などの紙により形成した場合について説明したが、これに限らず、ポリプロピレン（ＰＰ）などの透明な合成樹脂により調整シート１を形成してもよい。この場合、調整シート１が透明であることから、取扱説明書や両面テープを外部から見易くすることができ、検品作業を容易にできる。また、調整シート１をＰＰ製とした場合も、揮散した薬剤Ｙが吸着し難く、調整シート１の変質の心配がない。
【００４２】
また、上述した実施形態では、調整シート１に２つの調整開口５を設けた場合について説明したが、これに限らず、３つ以上の調整開口５を設けてもよい。この場合、調整シート１の外周縁１ａから離間した位置で当該調整シート１の中心を間に挟んで両側に調整開口５を設けることが好ましい。また、調整開口５の形状や向きは上述した実施形態に限定されるものではなく、例えば、図５の２つの調整開口５を入れ替えて、切込部３を調整シート１の中心に向けて湾曲させてもよい。
【００４３】
また、上述した実施形態では、使用者が調整シート１を容器本体１０の開口部１１に載せた上で蓋体２０を被せる場合について説明したが、これに限らず、蓋体２０の内側に調整シート１を収納してから、台などの上に置いた容器本体１０の開口部１１に蓋体２０を被せてもよい。この場合、調整シート１の外径を、その外周縁１ａが蓋体２０の複数本の突条部２１にわずかに引っ掛かる大きさに設計しておくことで、調整シート１が蓋体２０の内側から脱落することを防止でき、蓋体２０を容器本体１０の首部１２に容易に嵌め込むことができる。
【符号の説明】
【００４４】
１…調整シート、  １ａ…外周縁、  ２…折り部、  ３…切込部、  ４…ベント部、  ５…調整開口、  １０…容器本体、  １１…開口部、  １２…首部、  １２ａ…上端、  １５…溝部、  １６…係合凸部、  １７…アルミシール、  ２０…蓋体、  ２１…突条部、  ２２…周壁、  ２３…フランジ部、  ２４…リブ、  ２５…揮散孔、  １００…揮散容器、  Ｙ…薬剤。
【図１】
0006594190.tif 000002
【図２】
0006594190.tif 000003
【図３】
0006594190.tif 000004
【図４】
0006594190.tif 000005
【図５】
0006594190.tif 000006